(57)【特許請求の範囲】
【請求項１】
以下の構成を具備する耳標の取付具（１）：
使用時に動物の耳標の雄部（５０）のキャビティー内に係合し、細長いピン（７）を備えた第１のあご部（２）；
使用時に前記耳標の雌部（５１）を係合して保持する第２のあご部（３）；
前記第１のあご部と第２のあご部（２）、（３）とを回転可能とする共に連結された第１と第２のハンドル部（４）、（５）であって、使用時、前記第２のハンドル部（５）に対する前記第１のハンドル部（４）の動きで第１と第２のあご部（２）、（３）とを互いに相手方向へ半径方向へ駆動させ、前記耳標の雄部（５０）を動物の耳に通して、それを前記動物の耳の反対側の第２のあご部（３）に保持される雌部（５１）に係合させるようになっているもの；
前記両あご部（２、３）を開放位置に付勢する付勢手段（１６）；
前記第１のあご部（２）を第２のハンドル部（５）に結合する釈放構造（１１、１２、１３；３０、３４、１３）であって、該構造により前記第１のあご部（２）は、前記耳標の雄部（５０）と雌部（５１）が動物の耳に完全に係合した後においてのみ、前記付勢手段（１６）の作用のもとに前記ハンドル部（４、５）とは関係なしに開放位置へ動くことができるようになっているもの；
第１のあご部（２）が前記開放位置に位置すると前記ピン（７）の長さ方向軸が前方向へ傾斜し、耳標の雄部（５０）が動物の耳に係合するとき第１のあご部（２）が半径方向に動きピン（７）の前記軸が第２のあご部（３）に対して実質的に垂直の位置になり、そしてピン（７）の前記軸は、前記耳標の雄部（５０）が前記耳標の雌部（５１）に完全に係合する前に、前記実質的に垂直の位置を越えて動くものであり、
ここで、前記ピン（７）は、前記第１のあご部（２）にピボット連結しているか、又は、フレキシブルに連結していて、使用時ピン（７）の装着された耳標が前記耳標取付具（１）から外方へ少なくとも部分的に回転できるようになっているものである。
【請求項２】
前記ピン（７）は、前記ピン（７）に対する横方向の力に応答して前記第１のあご部（２）から外方へ動くかまたは曲がるようになっている請求項１に請求の耳標取付具。
【請求項３】
前記ピン（７）は、前記第１のあご部（２）の端部にピボット連結している装着手段（２２）に設置されており、前記第１のあご部（２）は、前記ピン（７）を前記第１のあご部（２）から下方へ延びる位置へ付勢する弾性係合手段（２６）を含んでいる請求項１または２に請求の耳標取付具。
【請求項４】
前記装着手段（２２）は、前記ピン（７）を下向き位置又は回転した位置のいずれにも保持するのに適した一つ又は複数の係合面を有する請求項３に請求の耳標取付具。
【請求項５】
前記釈放構造（１１、１２、１３；３０、３４、１３）が、前記第１のあご部（２）に設けられたラッチ手段（１１；３０）と前記第２のハンドル部（５）に設けられたキャッチ手段（１２；３４）を具備し、前記キャッチ手段（１２；３４）は、前記ラッチ手段（１１；３０）をラッチ位置に保持し；前記第１のハンドル部（４）に設けられているキャッチ操作手段（１３）が、雄部（５０）が雌部（５１）と完全に係合するにつれ、前記キャッチ操作手段（１３）が前記キャッチ手段（１２；３４）に係合して、前記キャッチ手段（１２；３４）を動かし、前記ラッチ手段（１１；３０）との係合を外すようになるものである請求項１に請求の耳標取付具。
【請求項６】
前記ラッチ手段（１１；３０）は、前記第１のあご部（２）のインナー端部に設けられている請求項５に請求の耳標取付具。
【請求項７】
前記ラッチ手段（１１；３０）は、前記キャッチ手段（１２；３４）と係合する硬質マテリアルの別個の部材（３３）を含む請求項５又は請求項６に請求の耳標取付具。
【請求項８】
前記キャチ操作手段（１３）は、前記第１のハンドル部（４）に設けられた突起部を含み、該突起部の端部は前記キャッチ手段（１２；３４）に係合する請求項５に請求の耳標取付具。
【請求項９】
前記第１のあご部（２）に近接の前記第１のハンドル部（４）の端部にベアリング面（１７）が設けられていて、前記第１のあご部（２）の開放位置を定めるために、前記付勢手段（１６）の作用で前記第１のあご部（２）のさらなる回転を停止させるようになっている請求項１に請求された耳標取付具。
【請求項１０】
前記第１のあご部（２）と、前記ベアリング面（１７）における又はそれに近接した位置の前記第１のハンドル部（４）との間に、衝撃吸収手段（１８）が設けられていて、前記第１のあご部（２）が前記開放位置へ回動するとき、前記第１のハンドル部（４）に伝わる衝撃力を抑止するようになっている請求項９に請求の耳標取付具。
【請求項１１】
前記ピン（７）は、前記雄部（５０）が雌部（５１）に完全に係合するとき、前記実質的に垂直の位置からほぼ１８°乃至２０°の間の角度に傾くものである請求項１に請求の耳標取付具。
【発明の詳細な説明】
発明の背景
この発明は、アイデンティフィケーションのために家畜その他の動物類へ耳標を取り付けるための耳標取り付け具に関するものである。
多くの耳標取り付け具が既に良く知られており、種々の特許明細書に開示されている。ツーピースの耳標を取り付ける取り付け具に関する、それらのものを検討すると、一旦取り付けた耳標を外すために各種の方法が探究されている。最も単純な態様のものは、プライヤータイプの取り付け具であり、ハンドルが互いに離れるように付勢されており、該ハンドルを互いに開くようにピボット回動させると、あご部が回動して開放位置に開くようになっている。このようなことが行われている間に動物が動くと、動物の耳を傷めてしまう。手で閉じる必要があるハンドルであると、ユーザーがハンドルにかかる圧力を釈放するまで、前記付勢手段で前記取り付け具のあご部を開くことができず、これによって若干の遅れが生じてしまう。
この問題を克服するために、ツーピース用の耳標の種々の取り付け具には、耳標の雄耳標部に係合して、該雄耳標部から外れる複数のピンを設けている。このような機構は、信頼性に欠け、動物が引っ張って前記取り付け具のあご部がジャミングするとき、雄耳標部が雌耳標部と係合してしまっていると、前記ピンがロック状態になり雄耳標部に係合してしまう傾向になる。
本発明は、ツーピースの耳標に関して詳しく記載されるものであり、以下、分かりやすくするために、これらを雄耳標部と雌耳標部からなるものとして述べるものであるが、これらは、共になって一つの耳標を形成するものである。しかしながら、動物の耳に耳標が引き外されないようになっていれば、本発明は、シングルピースの耳標に簡単に実施できる点を考慮すべきである。
発明の目的
したがって、本発明の目的は、従来技術の欠点を克服する動物の耳標取り付け具を提供すること、又は、大衆に有益な選択を少なくとも与えることを目的とする。
発明の記述
したがって、第１のアスペクトにおいては、発明、以下を備える動物の耳標取り付け具に存するものと言えるもので：
動物の耳標の一部に係合第１のあご部；
第２のあご部；
前記第１のあご部と第２のあご部とを動かす第１と第２のハンドル部であって、前記第２のハンドル部に対する前記第１のハンドル部の動きで第１と第２のあご部とを互いに相手方向へ駆動させ、前記耳標の前記一部を動物の耳に係合させるようになっているもの；
前記両あご部を開放位置にする付勢手段；及び
前記構成において、前記第１のあご部は、前記耳標の一部が動物の耳に完全に係合した後においてのみ、前記付勢手段の作用のもとに前記ハンドル部とは関係なしに開放位置へ動くことができるようになっているもの。
好ましくは、前記第１のあご部には、前記耳標の前記一部のキャビティ内で係合する長くなっている係合手段が設けられている。
好ましくは、前記長くなっている係合手段は、前記長くなっている係合手段を横切る力に応答して前記第１のあご部から外方へ動くようになっている。
好ましくは、前記長くなっている係合手段は、前記第１のあご部にピボット連結しているか、又は、前記長くなっている係合手段が前記取り付け具から外方へ少なくとも部分的に回転できるようなある程度のフレキシビリティを有している。
好ましくは、前記第１のあご部は、前記耳標の前記一部が動物の耳に完全に係合し、前記第１のあご部が前記ハンドル部と関係なしに共通ピボット軸まわりを回転して前記開放位置になった後においてのみ前記ハンドル部との対応運動から離脱するものである。
この発明のさらなるアスペクツは、以下の記述を読むことで当業者には明らかになる。
【図面の簡単な記載】
図面を参照しながら記述するもので、図面において：
図  １：取り付け具の一つの実施例の斜視図であり；
図  ２：図１の装置のパーツの展開図であり；
図  ３：図１と図２との側面断面図であり；
図  ４：取り付け具の別の実施例の斜視図であり；
図  ５：図４の実施例の側面断面図であり；
図6Aと6B：図４と図５とのあご部／ピンアッセンブリーの側面の断面及び端面の断面をそれぞれ示し；
図  ７：図４から図６の実施例の展開図であり；
図  ８：ピンが外方へピボット回転した図４から図７の実施例を示し；
図  ９：配置された耳標と共にあご部が閉止位置にある図４から図８の実施例を示し；
図１０：あご部が閉じられる前の図９の取り付け具を示し；そして
図１１：前記ピンが前記耳標から外された後の図９と図１０の取り付け具を示す。
好ましい実施例の詳細な記述
図面の図１から図３を参照すると、図示の取り付け具１は、第１のあご部２と第２のあご部３とを有し、これらは、ツーピースの耳標の第１の部材及び第２の部材又は雄部材５０と雌部材５１にそれぞれ係合しているか、又は、シングルピース耳標（図示しない）に係合している。あご部２，３を共に相手方向へ動かすと、耳標の前記各部材は、動物の耳の両面に当接して、動物の耳に耳標が保持される。
この特定の実施例においては、第１ハンドル部４と第２ハンドル部５とをそれぞれ操作することにより、第１あご部２と第２あご部３とが動かされる。ハンドル部４，５を互いに引き寄せると、あご部２，３が動いて閉止位置になり、耳標が係合し合う。図１では、あご部２，３は、開放位置で示されている。
前記ハンドル部とあご部とは、プライヤータイプの構成の一部として設けられているが、他の形状にすることもできる。ハンドル部の他の形状は、第１あご部と第２あご部とに互いに相手方向へ動かす異なる作用をもつようにすることができる。しかしながら、共通軸６を軸として動くハンドル部とあご部をもつプライヤータイプの構成は、単純な点で好ましい。
第１あご部２には、ピンの形状に相応しい長さになっている係合手段７が設けられていて、これは、雄耳標部５０のキャビティに係合し、前記雄耳標部を第２あご部３と保持手段８により保持されている雌耳標部５１とに向け動かすことが分かる。図３の断面図で詳しく示すように、保持手段８は、ピボットするプレート８の形状をしており、雌耳標部５１は、プレート８の下側のキャビティ９内に置かれて所定位置に保持される。所望に応じて、スプリング１０のような適切な付勢手段を設けて、キャビティ９内にある雌耳標部５１を押し、該耳標５１を所定位置に保持することができる。
図２に示すように、ハンドル部４，５及びあご部２，３には、ピボット軸６である共通軸が設けられているが、少なくとも一つのあご部２は、ハンドル部に対し関係なく開放位置へ動くことができるようになっている。この特定の例においては、第１のあご部２が駆動ハンドル部５に対し分離した部分として設けられる。
図３における断面を参照すると、下位のあご部３は、ハンドル部４と一体のものになっており、これら二つのものは、ピボット軸６に対し動かない関係になっている。上位又は第１のあご部２は、ピボット軸６まわりで作用する回転ラッチ１１に連結しているか、又は、これと一体になっている。第２のハンドル部５を第１のハンドル部４側へ引くと、この第２のハンドル部５に設けられた１４でピボット回転する係合手段１２が回転ラッチ１１に係合して第１のあご部２を閉止位置へ動かす。ハンドル部４がハンドル部５により閉止位置に近づくと、ハンドル部４から下方へ突き出た部分として設けられた形態における釈放手段１３が係合手段１２に係合すると、係合手段１２は、そのピボット軸１４を軸として回動し、係合手段１２が回転ラッチ１１と最早係合しない位置へ動く。すると第１のあご部２は、ハンドル部５と関係なくピボット軸６まわりを自由に回転するようになる。
図示のキャッチ又は他の構造の係合手段１２は、スプリング５２により前記ラッチ１１と係合する位置に付勢されている。突起部１３、ラッチ１１、キャッチ１２及び雄耳標部５０を伴うピン７の動きの相関関係は、雄耳標部５０が雌耳標部５１に完全に係合した後でのみ前記あご部２が釈放されるようになっている。
付勢手段が設けられて、第１のあご部２を開放位置へと付勢する。付勢手段には、いくつもの代替形態がある。代表的なものとしては、ある形のスプリングとして該付勢手段を設け、それは、第１と第２のあご部の間のコンプレッションスプリング１５、第１のあご部２とハンドル部４との間で作用するテンションスプリング１６又はピボット軸６まわりで作用するサーキュラースプリング（図示しない）のような形態のものからなる。付勢手段の特定の形態は、必要に応じて種々変えられる。しかしながら、図示のテンションスプリング１６は、ピボット軸６周辺で装置を複雑にしない点で好ましく、さらに、図示のコンプレッションスプリング１５では果たすことが難しくなる前記両あご部の間に領域を残すことができる点で好ましい。
コンプレッションスプリング２９のような別の付勢手段を用いて、ユーザーが前記ハンドル部への圧力を緩めれば、ハンドル部４，５が開くようにすることもできる。ここでも、付勢手段２９は、種々のスプリングを含めた種々の形態のもので設けられる。
係合手段１２が回転ラッチ１１から外れると、第１のあご部２は、前記付勢手段の作用を受けて開放位置へ回動する。図示の態様においては、第１のあご部２は、第１のハンドル部４の近接端部にベアリング面１７が接触するまで引下がる。このように第１のあご部２とベアリング面１７とが当接することで、開放位置への第１のあご部２の回転度合いが定まる。しかしながら、第１のあご部２がベアリング面１７へ当たることによるハンドル部４へのショックを和らげるために、第１のあご部２とベアリング面１７との間で作用する衝撃吸収手段１８が設けられている。この部分になんらかの弾性マテリアルを使用すれば、装置が開放位置になる間の装置にかかる衝撃を和らげるに十分である。
これに代わる形態においては、第１のあご部２と共に回転ラッチ１１を回転させて、ハンドル部４に当たる第１のあご部２を停止させることができる。このような例においては、別の突起部１９のような第２のベアリング面を係合手段１２に設ける。この場合、両ハンドル部が閉止位置に近づき、係合手段１２が回転ラッチ１１に係合しているイニシャルの係合位置から回転すると、第１のあご部２は、回転ラッチ１１が第２の係合突起部１９に当たるまで回転する。また別に、キャッチ１２の面に当たったり、これを動かすようなラッチ１１上の突起部を使用できる。これは、第１のあご部２とハンドル部４とが完全に接触しないようにする点で好ましい。
また図３を参照すると、長細い係合手段又は駆動ピン７が第１のあご部２に対し前向き角度Ａ°で設けられていて、両あご部がピボット軸６を軸として閉止位置へ回動すると、ピン７の先端２０がプレート８にほぼ達するとき、ピンは、下位のあご部３に対し実質的に垂直になるようになっている。この結果、雄耳標部５０の先端２０が動物の耳に接触する際、ピン７は、ほぼ垂直になる。これがピンを動物の耳に插し通すため最も大きな力が必要になるポイントである。雄耳標部５０をキャビティ９内に保持されている雌耳標部５１に完全に係合させる完全閉止位置へさらに回動させることで、ピンは、垂直位置を通り過ぎて前記耳標の二つの部分をさらにしっかり係合させる。示されたジオメトリーにおいては、垂直線から約１８°から２０°、できれば、これよりやや大きいか又は小さい角度がピン７の完全閉止位置におけるピン７と下位のあご部３との間の角度として適切なものである。該角度は、特定の構成及びピボット軸６まわりのオリエンテーションによりいろいろ変わる。
図２を参照すると、共通のピボット軸６に設けられる図２に示した二つの部分のような硬化されたマテリアルの一つ又はそれ以上の部分として回転ラッチ１１を設けることが望ましい。前記ラッチ１１に硬化された又は硬質のマテリアルを使用することは、装置の大部分がプラスチックマテリアルズのようなマテリアルズから作られていて、これらが経時摩耗する場合、特に有効である。代替構造として、部材の多くを金属、特にアルミニウムのような金属から作り、軽量にすることができる。同様に、係合手段１２を硬質のマテリアルから作り、図２に示すように二つの部材で設けることができる。
一つの実施例においては、スプリング又は付勢手段を使用して、ハンドル部４，５を開き、キャッチ１２をラッチ１１と再び接触させる位置に再度位置させるか、又は、既に述べたように、別個のスプリング又は他の付勢手段により、これら二つのステップを行わせることもできる。
このように、この発明は、雄耳標部と雌耳標部とが完全に係合し、耳標が完全にインサートされるように前記両あご部が閉止位置に達すれば、前記付勢手段の作用により前記両あご部の少なくとも一方が独立して動くようになる動物の耳標の取り付け具を提供するものであることが理解される。これによって、前記取り付け具を耳標から外すためにハンドル部４，５を開く必要がなくなる。また、両あご部が未だ閉止位置にある間、係合ピン７それ自体に耳標を釈放する機能を付与する必要がなくなる。
発明のさらなる実施例を図４から図１１に示すもので、既に使用の符号を適切な場合に保持する。この実施例においては、取り付け具１’は、先行の実施例と殆ど同じものであって、第１のあご部２がリトラクタブルのあご部として設けられ、ハンドル部４，５とのダイレクトの回動連結から釈放され、適当な付勢手段によりハンドル部４，５とは離れて開放位置へ回動できるようになっている。
しかしながら、この実施例においては、長いピン７が装着ブロック２２に装着されており、該ブロックは、それ自体ピボット連結部２３によりピボット回動可能に第１のあご部２に装着されている。特に図８で分かるように、これによって、長くなっているピンは、図４の矢印Ｘ方向に向け第１のあご部２から外方へ回動することができるようになっている。
図５，６，７を参照すると、装着ブロック２２は、ピボット装着されていて、長細いピン７の長さ方向軸がピボット軸２３の背後を通っていることが分かる。この態様においては、耳標取り付けプロセスの間、長細いピン７にそう長さ方向の力が該ピンを外方へ回動させようとすることよりもピンの正しい挿入位置において長細いピンを安定させることに役立つ。長細いピンに力がかかると、該ピンは、装着ブロック２２のピボット軸２３とリップ２４とにより支持される。リップ２４は、第１のあご部２に係合し、前記二つのピースの耳標を共に動かす位置から長細いピンが反対に回動しないようにする。
装着ブロック２２には、カム面２５が設けられており、このカム面は、弾性部材２６に抗して作用し、装着ブロック２２をさらに安定させる。しかしながら、長細い係合手段７を外方へ回動させようとする外側への力が作用すると、前記面２５は、弾性部材２６に抗して動き、そのような外方向への回動を許す。前記部材２６は、装着ブロック２２をピン挿入位置へ付勢しているが、該ブロックが一旦乗り越え、前記部材２６が装着ブロック２２の別の面に近接すれば、装着ブロック２２を付勢し、この結果長細いピン７は第１のあご部２から外方へ向き、図８に示すように第１のあご部２の全体の向きとほぼ平行になる。
弾性部材２６が装着ブロック２２のカム面２５に抗して作用する態様により、装着ブロック２２は、矢印ｘ方向の外方向へ部分的に回転することができるが、雄耳標部５０からピン７が自由になるのにぐるりと回転することが必要なものであっても図５に示すように安定した位置に付勢される。
ピボット回転できるようにする代わりに別の実施例では、雄耳標部５０からピンを釈放しやすくするために、ピンが前方へ回転できるようにピン７の装着部又はピン自体を少なくとも部分的にフレキシブルにすることができる。
上位のあご部２を個別的にリトラクタブルとし、長細いピン７をピボット回転可能に、又は、フレキシブルに取り付けることを組み合わせることで、この好ましい実施例は、耳標取り付けプロセスの間、逃げようとしている動物の耳を傷めてしまう原因になる取り付け具１’での耳標部５０，５１の絡み合いの発生を減少させるものである。釈放の二つの分離したモードは、互いに共働する。
第１の実施例において述べたリトラクタブルの上位のあご部２は、耳標取り付けプロセスの間動物が引っ張れば、未だジャミングする傾向にあると言える。固定された長細いピン７をもつ図１から図３に示した実施例は、ピンが位置する雄耳標部５０のキャビティの側部にピン７が引っ掛かると、雄耳標部５０から長細いピンを外すのに面倒なことが生じる。
第１のあご部２が独立して後退するようになっている図４から図１１の実施例においては、図９にアウトラインで示す動物の耳５３を動かして耳標を引っ張る動物によりピン７に作用して該ピンを雄耳標部に引っ掛け、後退できなくする力は、矢印Ｘ方向への長細いピンの僅かな動きであっても、これを抑えることができる。このような作用を改善するために、ピンを水平方向へ完全にピボット回動させる必要はない；外側方向への力を適応させるごく僅かな動きでジャミングのおそれが減る。この好ましい形態は、長細い係合手段７のピボット回動についてではるが、前記のような横方向のフレキシビリティ又は横方向への動きのある形態は、耳標がピンに作用する力を制限するのに必要なすべてである。
同様に、長細いピンのピボット２３を軸とする外方への回転について考えるとき、これは、回転開始の間雄耳標部５０内にピンが達成する深さが僅かにふかくなるようにする第１のあご部２の後退と同時に生じる。
特に図７を参照すると、図１から図３のラッチ１１は、あご部２のピボット端部に一体に設けられたラッチ３０に置き換えられている。ラッチ３０は、ハンドル部５の二股端部３１の間に適合する。ラッチ３０は、凹部３９を含み、この凹部に硬質マテリアルの別個の部材３３が挿入されて、キャッチ３４のチップ３８が係合する面になる。キャッチ３４は、ハンドル部５の突起部３７とキャッチ３４の凹部３５との間に装着されたスプリング３６により付勢され係合される。図５に示した位置においては、突起部１３の端部がキャッチ３４の面４０と係合し、ピボット回動してラッチ３０を外すようになっている。この外す時点においては、ピンは、図５に示す位置からさらに下方へ動いて、雄耳標部５０を雌耳標部５１に完全に係合させる。
図６Ａと図６Ｂとを特に参照すると、ピンが完全に水平位置に動いたとき、チップ２５があご部２のエッジ２８に当たることができることが分かる。また、チップ２５が部材２６のチップ２７を通過することに対する抵抗が部材２６の弾性とピボットピン４２を軸とするそのピボット回転とに依存する一方、幾つかの実施例においては、したがってそれ自体弾性でない部材２６と共にスプリングのような付勢手段を使用することが考えられる。
弾性のストッパー４９がハンドル部４の端部に設けられて示されており、ハンドル部５に当たるようになっている。
したがって、耳標を釈放する二つのモードが設けられているのみならず、異なるモードが互いを助けて、いずれのモードにおいてもジャミングのリスクをなくすようになっていることが分かる。
前記の記述においては、既知の均等物をもつ発明の特定の部品又は一体物に触れているが、そのような均等物も個々に記載されたものとして、ここに組み入れられる。
この発明を例をひいて記載し、その可能な実施例について記載したが、添付の請求の範囲に規定の発明の範囲から逸脱することなしにモディフィケーション又は改良が発明に対しなされることを理解すべきである。
【図１】
0003858231.tif 000002
【図２】
0003858231.tif 000003
【図３】
0003858231.tif 000004
【図４】
0003858231.tif 000005
【図５】
0003858231.tif 000006
【図６Ａ】
0003858231.tif 000007
【図６Ｂ】
0003858231.tif 000008
【図７】
0003858231.tif 000009
【図８】
0003858231.tif 000010
【図９】
0003858231.tif 000011
【図１０】
0003858231.tif 000012
【図１１】
0003858231.tif 000013